(57)【要約】基板に対する熱的ストレスを抑制し、半田バンプを用いた電子部品の実装方法、取外し方法及びその装置を提供する。  半田バンプ１１４により基板３６に半田付けする電子部品（ベアチップ３２）の実装方法、取外し方法及びその装置であって、電子部品を移動させて半田バンプの基板に対する接触、又はツール（チャック部３８）の電子部品への接触を検知し、前記接触を原点に電子部品及び基板の加熱温度を上昇させ、該加熱温度を最大加熱温度ＨＴｍに到達させるとともに、前記温度上昇に合わせて電子部品を移動させ、最大加熱温度に到達した位置から電子部品を基板の実装高さに移動させる構成である。
2004107432.tif 000002
【特許請求の範囲】
【請求項１】
半田バンプにより基板に半田付けする電子部品の実装方法であって、
前記電子部品を移動させて前記半田バンプの前記基板に対する接触を検知する工程と、
前記接触を原点に前記電子部品及び前記基板の加熱温度を上昇させ、該加熱温度を最大加熱温度に到達させるとともに、前記温度上昇に合わせて前記電子部品を移動させる工程と、
前記最大加熱温度に到達した位置から前記電子部品を前記基板の実装高さに移動させる工程と、
を含むことを特徴とする電子部品の実装方法。
【請求項２】
前記加熱温度が最大加熱温度に到達した位置で前記電子部品を保持し、所定時間後に前記電子部品を前記基板の実装高さに移動させることを特徴とする請求の範囲１記載の電子部品の実装方法。
【請求項３】
前記温度上昇とともに移動させる前記電子部品の移動量は、前記基板側の熱変形と前記電子部品を支持する支持部材の熱変形とから算出された値であることを特徴とする請求の範囲１記載の電子部品の実装方法。
【請求項４】
半田バンプを用いて半田付けされた基板からの電子部品の取外し方法であって、
ツールを移動させて前記基板上の前記電子部品に対する前記ツールの接触を検知する工程と、
前記接触を原点に前記電子部品及び前記基板の加熱温度を上昇させ、該加熱温度を最大加熱温度に到達させるとともに、前記温度上昇に合わせて前記ツールを移動させる工程と、
前記最大加熱温度に到達した位置から前記ツールの移動により前記電子部品を前記基板の実装高さに移動させて前記基板から前記ツールに前記電子部品を受け取る工程と、
を含むことを特徴とする電子部品の取外し方法。
【請求項５】
前記加熱温度が最大加熱温度に到達した位置で前記ツールを停止し、所定時間後に前記ツールにより前記電子部品を前記基板の実装高さに移動させることを特徴とする請求の範囲４記載の電子部品の取外し方法。
【請求項６】
前記温度上昇に合わせて移動させる前記ツールの移動量は、前記基板側の熱変形と前記電子部品を支持する支持部材の熱変形とから算出された値であることを特徴とする請求の範囲４記載の電子部品の取外し方法。
【請求項７】
前記電子部品が取り外された前記基板に３０〜５０％の比率で半田を残留させることを特徴とする請求の範囲４記載の電子部品の取外し方法。
【請求項８】
基板から電子部品を取り外し、その取外し部分に電子部品を再実装する電子部品の実装方法であって、
前記基板から前記電子部品の取外し処理で、前記基板の前記電子部品の取外し部分に３０〜５０％の比率で半田を残留させ、この残留半田を電子部品の再実装に用いることを特徴とする電子部品の実装方法。
【請求項９】
半田バンプによって基板に電子部品を実装する電子部品の実装装置であって、
前記電子部品を移動させる移動機構と、
前記電子部品又は前記基板を加熱する加熱部と、
前記電子部品の半田バンプが前記基板に接触したことを検知する接触検知部と、
前記移動機構により前記電子部品を移動させ、前記接触検知部の接触検知を原点に前記電子部品及び前記基板に対する前記加熱部の加熱温度を上昇させ、該加熱温度を最大加熱温度に到達させるとともに、前記移動機構により前記温度上昇に合わせて前記電子部品を移動させ、前記最大加熱温度に到達した位置から前記電子部品を前記基板の実装高さに移動させる制御部と、
を備えたことを特徴とする電子部品の実装装置。
【請求項１０】
半田バンプを用いて基板に実装された電子部品の取外し装置であって、
前記電子部品を支持するツール又は前記電子部品の少なくとも半田接合部を加熱する加熱部と、
前記ツールが前記基板上の前記電子部品に接触したことを検知する接触検知部と、
前記ツールを移動させる移動機構と、
前記移動機構により前記ツールを移動させて前記接触検知部により前記接触を検知し、該接触を原点に前記加熱部により前記電子部品及び前記基板に対する加熱温度を上昇させ、該加熱温度を最大加熱温度に到達させるとともに、前記移動機構により前記温度上昇に合わせて前記ツールを移動させ、前記最大加熱温度に到達した位置から前記ツールの移動により前記電子部品を前記基板の実装高さに移動させて前記基板から前記ツールに前記電子部品を受け取らせる制御部と、
を備えたことを特徴とする電子部品の取外し装置。
【発明の詳細な説明】
【技術分野】  本発明は、半田バンプにより基板に接続されるベアチップ等の半導体装置、フリップチップ部品その他、各種の電子部品の実装方法、取外し方法及びその装置に関し、特に、半田バンプを用いて樹脂系基板に実装されたベアチップのリワーク、リプレース、リペア等の各種処理に好適な電子部品の実装方法、取外し方法及びその装置に関する。
ベアチップの実装技術として、Ｃ４（Ｃｏｎｔｒｏｌｌｅｄ  Ｃｏｌｌａｐｓｅ  Ｃｈｉｐ  Ｃｏｎｎｅｃｔｉｏｎ）フリップチップ配線技術が用いられているが、このＣ４フリップチップ配線技術では、ＬＳＩ（Ｌａｒｇｅ  Ｓｃａｌｅ  Ｉｎｔｅｇｒａｔｉｏｎ）チップ、フリップチップ部品に接続ピッチを狭小化して接続用突起状端子（マイクロバンプ：Ｍｉｃｒｏ  Ｂｕｍｐ）を形成し、このマイクロバンプによってモジュール基板に実装している。ベアチップは、その実装、取外し、置換、再実装等の各種処理が可能である。本発明は、このベアチップ等の電子部品を樹脂系基板に実装し、そのリワーク処理、リプレース処理、リペア処理等の各種処理に好適な電子部品の実装方法、取外し方法及びその装置に関するものである。
【背景技術】  従来、ベアチップのリワークでは、基板に実装されたベアチップにリフロー装置のボンディングヘッドを位置決めし、ボンディングヘッドで加熱して半田を溶融させて基板からベアチップを分離させる。このベアチップを取り去った基板上の残留半田を加熱して除去し、溶剤によるクリーニング処理を施し、実装前と同等な状態に基板を処理する。そして、基板上のベアチップ搭載位置にベアチップを位置決めして固定し、リフロー炉によりパッケージ（ＰＫＧ）全体を加熱してリフロー処理することにより、ベアチップを再実装する。
この従来のリワークについて、例えば、図１及び図２を参照すると、図１は基板からベアチップを除去する処理、図２はベアチップ除去後の再実装処理を示している。図１（Ａ）に矢印ａで示すように、基板２にＣ４バンプ例えば、半田バンプ４によって実装されたベアチップ６にツールヘッド８を位置決めして下降させ、図１（Ｂ）に矢印ｂで示すように、ツールヘッド８の下面をベアチップ６の上面に接触させ、その圧力を制御するとともにツールヘッド８等により半田バンプ４を加熱して溶融させる。この溶融状態を維持しながら、図１（Ｃ）に矢印ｃで示すように、ツールヘッド８にベアチップ６を支持させ、ツールヘッド８を上昇させると、基板２からベアチップ６が分離し、基板２上には半田バンプ４が溶融して崩れ、残留半田１０となる。この残留半田１０はショート状態を呈している。そこで、図２（Ａ）に示すように、基板２から治具１２を用いて残留半田１０を除去した後、図２（Ｂ）に示すように、基板２のベアチップ６の実装位置に予備半田バンプ１４を形成し、その搭載位置にベアチップ６を位置決めして再接続する。
このようなベアチップのリワークや半田バンプを用いる実装技術に関する先行特許文献には、特開平６−２１１４７号公報、特開平１０−２９４５５８号公報、特開平１１−１１２１３１号公報、特開２００１−７１５７号公報、特開２００２−５７４５３号公報、特開２００２−１１０７４０号公報等が存在する。
特開平６−２１１４７号公報には半田バンプを用いたフリップチップＩＣの実装、その除去及び再実装について開示され、特開平１０−２９４５５８号公報には基板に半導体素子を実装した半導体装置を加熱して半導体素子を取り外すリワーク装置について開示され、特開平１１−１１２１３１号公報には半導体装置が実装されている基板から加熱により半田を溶融させて半導体装置を取り外す半導体装置の取り外し方法や、半導体装置を取り外した基板上に半導体装置を位置決めして再実装する半導体装置のリペア方法について開示され、特開２００１−７１５７号公報にはフリップチップ実装のリペア処理について開示され、特開２００２−５７４５３号公報には基板に実装された半導体装置を加熱し、基板から半導体装置を取り外した後、半田ペーストを供給して予備半田を形成し、その上に半導体装置を貼り合わせて半田を加熱、溶融して接合することにより、半導体装置を再実装する半導体装置のリペア方法について開示され、また、特開２００２−１１０７４０号公報には半導体素子の下面に半田バンプを形成した半導体装置を下降させて基板上にフリップチップボンディングする実装方法において、半導体素子と基板との隙間を半導体装置の高さによって制御する実装方法及びその装置について開示されている。
ところで、従来のベアチップ等の各種電子部品のリワーク処理における電子部品の取外しにおいて、ツールを搭載したヘッド部の位置制御には圧力制御が用いられている。ツールの位置制御に誤差が生じると、ベアチップの接合部が狭ギャップである場合、半田でショートするおそれがあり、ベアチップの置換前にショート状態の残留半田を十分なクリーニング処理によって除去する必要がある。ベアチップの接合部が狭ギャップである場合には、その実装時にも、基板とベアチップとの位置制御は接続の信頼性を高める上で十分な精度が要求される。
基板とベアチップとの接続性の確保には予備半田処理が用いられているが、この予備半田処理による加熱で基板に熱的ストレスが蓄積され、接続の信頼度を低下させるおそれがある。
また、パッケージ全体のリフロー処理では、基板の熱的ストレスが大きく、耐熱制限のある部材がパッケージ上に実装されている場合には、再処理が困難であり、ベアチップ実装時等の障害解析等の検査コストを増加させることになる。
このような課題は上記先行特許文献に開示された技術によっては解決することができないものである。
【発明の開示】
本発明は、ベアチップ等の電子部品を樹脂系基板に実装し、そのリワーク処理、リプレース処理、リペア処理等の各種処理に好適な電子部品の実装方法、取外し方法及びその装置に関し、上記課題を解決した電子部品の実装方法、取外し方法及びその装置を提供することを目的とする。
より詳しく言えば、本発明の目的は、基板に生じる熱的ストレスを抑制することができる電子部品の実装方法、取外し方法及びその装置を提供することにある。また、本発明の他の目的は、残留半田の再利用を可能にした電子部品の取外し方法及びその装置の提供にある。
上記目的を達成するため、本発明は、半田バンプにより基板に半田付けする電子部品の実装方法であって、前記電子部品を移動させて前記半田バンプの前記基板に対する接触を検知する工程と、前記接触を原点に前記電子部品及び前記基板の加熱温度を上昇させ、該加熱温度を最大加熱温度に到達させるとともに、前記温度上昇に合わせて前記電子部品を移動させる工程と、前記最大加熱温度に到達した位置から前記電子部品を前記基板の実装高さに移動させる工程とを含む構成である。
係る構成によれば、電子部品の半田バンプと基板とが接触した位置を原点とし、この原点で電子部品及び基板の接触により両者の温度を一致させることができる。例えば、予熱によって同一温度に設定することが可能である。この位置を原点に加熱温度を上昇させるとともに、この温度上昇に合わせて電子部品を移動させると、熱変形の総量分を吸収しながら、両者を接触状態に維持しつつ、最大加熱温度まで加熱することができる。最大加熱温度に到達した位置から電子部品を基板の実装高さに移動させると、最大加熱温度に維持されて電子部品の半田バンプの基板に対する位置が最適化される。このような電子部品の移動制御と加熱制御との併用により、電子部品と基板との接合部の加熱ロスが抑制される。
上記目的を達成するためには、本発明の電子部品の実装方法において、前記加熱温度が最大加熱温度に到達した位置で前記電子部品を保持し、所定時間後に前記電子部品を前記基板の実装高さに移動させる構成としてもよい。最大加熱温度に到達した位置での保持で半田を確実に溶融させ、その位置から最適な実装高さに電子部品を移動させて基板に実装することが可能になる。
上記目的を達成するためには、本発明の電子部品の実装方法において、前記温度上昇とともに移動させる前記電子部品の移動量は、前記基板側の熱変形と前記電子部品を支持する支持部材の熱変形とから算出された値を用いる構成としてもよい。係る構成によれば、電子部品の移動により、基板側の熱変形や電子部品を支持する支持部材側の熱変形を吸収し、電子部品の半田バンプの基板に対する位置の最適化が図られ、熱伝導ロスが抑制される。
上記目的を達成するため、本発明は、半田バンプを用いて半田付けされた基板からの電子部品の取外し方法であって、ツールを移動させて前記基板上の前記電子部品に対する前記ツールの接触を検知する工程と、前記接触を原点に前記電子部品及び前記基板の加熱温度を上昇させ、該加熱温度を最大加熱温度に到達させるとともに、前記温度上昇に合わせて前記ツールを移動させる工程と、前記最大加熱温度に到達した位置から前記ツールの移動により前記電子部品を前記基板の実装高さに移動させて前記基板から前記ツールに前記電子部品を受け取る工程とを含む構成である。
係る構成によれば、ツールが基板上の電子部品に接触した位置を原点とし、この原点でツールと電子部品の接触によりツールと電子部品及び基板との温度を一致させることができる。この原点から加熱温度を上昇させ、この温度上昇に合わせてツールを移動させる。この移動により、熱変形の総量分が吸収され、最大加熱温度の位置からツールにより電子部品を基板の実装高さに移動させて基板からツールに電子部品を受け取る。このようなツールの移動による位置制御と温度制御との併用により、ツールを通して電子部品の基板に対する位置が最適化され、電子部品と基板との接合部の加熱ロスが抑制されるとともに、基板側に再利用可能な残留半田が形成される。
上記目的を達成するためには、本発明の電子部品の取外し方法において、前記加熱温度が最大加熱温度に到達した位置で前記ツールを停止し、所定時間後に前記ツールにより前記電子部品を前記基板の実装高さに移動させる構成としてもよく、また、前記温度上昇に合わせて移動させる前記ツールの移動量は、前記基板側の熱変形と前記電子部品を支持する支持部材の熱変形とから算出された値を用いる構成としてもよい。
上記目的を達成するためには、本発明の電子部品の取外し方法において、前記電子部品が取り外された前記基板に３０〜５０％の比率で半田を残留させる。このような残留半田を形成すれば、半田による短絡が防止されるとともに、接合部として再利用が可能である。
上記目的を達成するため、本発明は、基板から電子部品を取り外し、その取外し部分に電子部品を再実装する電子部品の実装方法であって、前記基板から前記電子部品の取外し処理で、前記基板の前記電子部品の取外し部分に３０〜５０％の比率で半田を残留させ、この残留半田を電子部品の再実装に用いる構成である。
上記目的を達成するため、本発明は、半田バンプによって基板に電子部品を実装する電子部品の実装装置であって、前記電子部品を移動させる移動機構と、前記電子部品又は前記基板を加熱する加熱部と、前記電子部品の半田バンプが前記基板に接触したことを検知する接触検知部と、前記移動機構により前記電子部品を移動させ、前記接触検知部の接触検知を原点に前記電子部品及び前記基板に対する前記加熱部の加熱温度を上昇させ、該加熱温度を最大加熱温度に到達させるとともに、前記移動機構により前記温度上昇に合わせて前記電子部品を移動させ、前記最大加熱温度に到達した位置から前記電子部品を前記基板の実装高さに移動させる制御部とを備えた構成である。
係る構成によれば、電子部品の半田バンプが電子部品の移動中に基板に接触した位置を原点に、この原点位置から電子部品及び基板の加熱温度を上昇させ、この温度上昇に合わせて電子部品を移動させることができ、最大加熱温度に到達した位置から電子部品を基板の実装高さに制御し、電子部品の半田バンプの基板に対する位置の最適化とともに、電子部品と基板との接合部の加熱ロスの抑制が可能になる。
また、上記目的を達成するため、本発明は、半田バンプを用いて基板に実装された電子部品の取外し装置であって、前記電子部品を支持するツール又は前記電子部品の少なくとも半田接合部を加熱する加熱部と、前記ツールが前記基板上の前記電子部品に接触したことを検知する接触検知部と、前記ツールを移動させる移動機構と、前記移動機構により前記ツールを移動させて前記接触検知部により前記接触を検知し、該接触を原点に前記加熱部により前記電子部品及び前記基板に対する加熱温度を上昇させ、該加熱温度を最大加熱温度に到達させるとともに、前記移動機構により前記温度上昇に合わせて前記ツールを移動させ、前記最大加熱温度に到達した位置から前記ツールの移動により前記電子部品を前記基板の実装高さに移動させて前記基板から前記ツールに前記電子部品を受け取らせる制御部とを備えた構成である。係る構成の電子部品の取外し装置は、既述の電子部品の取外し方法の実施に用いられる。
そして、本発明の他の目的、特徴及び利点は、添付図面及び各実施の形態を参照することにより、一層明瞭となるであろう。
【図面の簡単な説明】  図１は、従来のベアチップのリワーク方法を示す図である。
図２は、従来のベアチップのリワーク方法を示す図である。
図３は、本発明の第１の実施形態に係るボンディング装置を示す図である。
図４は、図３のボンディング装置のヘッド部の構成を示す図である。
図５は、図３のボンディング装置の制御装置の構成を示す図である。
図６は、本発明の第２の実施形態に係るベアチップリフロー処理を示す工程図である。
図７は、図６のベアチップリフロー処理におけるベアチップの吸着及び下降、接触検知を示す図である。
図８は、図６のベアチップリフロー処理におけるヘッド部の上昇、上死点でのヘッド部の保持を示す図である。
図９は、図６のベアチップリフロー処理におけるヘッド部の下降及び上昇を示す図である。
図１０は、リフロー処理又はリムーブ処理におけるヘッド部の動作シーケンス、ヘッド部の温度制御、接合部の上下部の熱膨張を示す図である。
図１１は、リフロー処理又はリムーブ処理におけるヘッド部の昇降動作を示す図である。
図１２は、リフロー処理を示す図である。
図１３は、本発明の第３の実施形態に係るベアチップリムーブ処理を示す工程図である。
図１４は、図１３のベアチップリムーブ処理におけるヘッド部の下降、接触検知を示す図である。
図１５は、図１３のベアチップリムーブ処理におけるヘッド部の上昇、上死点でのヘッド部の保持を示す図である。
図１６は、図１３のベアチップリムーブ処理におけるヘッド部の下降及び上昇を示す図である。
図１７は、リムーブ処理を示す図である。
図１８は、残留半田を利用したリフロー処理を示す図である。
図１９は、リワーク処理を示す図である。
【発明を実施するための最良の形態】（第１の実施形態）
本発明の第１の実施形態について図３ないし図５を参照して説明する。図３ないし図５は本発明の電子部品の実装方法、取外し方法及びその装置の実施形態としてボンディング装置を示しており、図３はヘッド部及び制御テーブルを示す側面図、図４はヘッド部を示す正面図、図５は制御部の構成を示すブロック図である。
ボンディング装置２０はＸ、Ｙ方向（例えば、水平方向）に移動可能な制御テーブル２２を備え、この制御テーブル２２は例えば、加熱台部２４とパッケージ搭載台２６とを備えており、加熱台部２４はステンレス等の耐腐食性金属等で形成された筐体の内部に第１の加熱部であるヒータ２８を備えている。また、パッケージ搭載台２６は、例えば、石英ガラスで構成されて平坦な搭載面を備えている。パッケージ搭載台２６にはパッケージ搭載治具３０が搭載され、その上面にＬＳＩチップ等の半導体装置、フリップチップ部品等、実装すべき電子部品としてベアチップ３２を実装し、又はベアチップ３２が実装されたパッケージ３４の基板３６が載置される。
また、ボンディング装置２０にはボンディングツールとしてチャック部３８が備えられており、このチャック部３８はベアチップ３２の支持、移送又は加熱に用いられる支持部材である。このチャック部３８は、ベアチップ３２を支持する吸着力を得るための吸引通路３９を備えている。このチャック部３８はＺ方向（例えば、垂直方向）に昇降させるヘッド部４０に支持されており、このヘッド部４０は、チャック部３８の高さ制御を行うために第１のスライダ４２と、チャック部３８を支持するとともにチャック部３８に加わる荷重を検出するために第２のスライダ４４とを備えている。
スライダ４２は、装置本体４６に備えられたスライドレール４８に摺動可能に支持されているとともに、ヘッド部４０を任意の位置に移動させる移動機構としてヘッド昇降機構５０が設置され、このヘッド昇降機構５０により、その高さ位置が制御される。このヘッド昇降機構５０は例えば、モータ等の回転力によって回転するボールスクリューを備えており、このボールスクリューの回転を上下方向の昇降力に変換してスライダ４２を昇降させる構成である。
また、スライダ４４は、スライダ４２に設けられたスライドレール５２に昇降可能に支持されているとともに、接触検知部５４を介してスライダ４２に支持されている。この接触検知部５４は、チャック部３８に支持されたベアチップ３２と基板３６との接触、又はチャック部３８と基板３６上のベアチップ３２との接触を間接的に検知するものであり、この実施形態では、スライダ４４から突出した検出アーム５６を挟んで、その上部側に荷重センサ５８、その下部側に荷重センサ６０が設置され、各検出子６２、６４を検出アーム５６の上下面部に接触させて構成されている。従って、スライダ４４が上昇する場合には、荷重センサ５８の検出荷重が増加する一方、荷重センサ６０の検出荷重が減少し、スライダ４４が下降する場合には、荷重センサ５８の検出荷重が減少する一方、荷重センサ６０の検出荷重が増加することになる。これら荷重センサ５８、６０の検出荷重から、スライダ４４に作用する荷重及びその荷重方向等を知ることができる。
また、スライダ４４には、角度（θ）補正部６６や傾き補正部６８が設置されているとともに、冷却部７０を介してヘッド部３８側を加熱する第２の加熱部として加熱部７２が搭載され、この加熱部７２の下側にチャック部３８が支持されている。冷却部７０には冷却水配管７４を通して冷却水７６を循環させており、加熱部７２の熱がヘッド部４０の加熱部７２より上部側へ熱伝導されるのを阻止する熱遮蔽壁を構成している。加熱部７２には第２のヒータ７８が設置されており、その熱でチャック部３８、チャック部３８に支持又は接触するベアチップ３２を加熱することができる。また、チャック部３８の水平方向の角度（θ）が角度補正部６６により、また、その傾きが傾き補正部６８により補正される。
そして、このボンディング装置２０は、制御装置として、例えば、図５に示すような制御部８０を備えている。この制御部８０は、制御テーブル２２の移動、ヘッド部４０の昇降、チャック部３８のベアチップ３２の吸着又はその解除、ヒータ２８、７８の加熱制御等、各種の制御を行う。そこで、この制御部８０には、ＣＰＵ（Ｃｅｎｔｒａｌ  Ｐｒｏｃｅｓｓｉｎｇ  Ｕｎｉｔ）等からなる制御回路８２が備えられ、この制御回路８２には制御情報を記憶するメモリ８４が接続されている。また、制御回路８２には、接触検知部５４の荷重センサ５８、６０の検出荷重、ツール高さ検出器８６の検出高さ、温度センサ８８、９０の検出温度が検出回路９２、９４、９６、９８を通して加えられる。ツール高さ検出器８６は、例えば、ヘッド部４０を昇降させるヘッド昇降機構５０のボールスクリューにエンコーダを設置して構成されてそのエンコーダの回転により高さ位置を検出する。従って、ツール高さ検出器８６には、ヘッド昇降機構５０により昇降するチャック部３８の高さ位置、熱膨張によるその変化が検出される。また、制御回路８２の制御出力は、駆動回路１００、１０２、１０４、１０６、１０７からテーブル移動機構１０８、ヘッド昇降機構５０、吸引機構１１０、ヒータ２８、７８に加えられている。テーブル移動機構１０８は、Ｘ、Ｙ方向に移動可能な制御テーブル２２をＸ、Ｙ方向に移動させる。また、吸引機構１１０は、吸引通路３９を通して吸引することにより、チャック部３８にベアチップ３２を支持するための吸着力を付与する。また、冷却水循環装置１１２は冷却部７０に冷却水７６を循環させ、循環制御とともに、その冷却水７６の温度が制御回路８２で制御される。なお、冷却水７６に代えて他の冷却媒体を循環させてもよい。
このボンディング装置２０において、ヘッド部４０に搭載されているボンディングツールであるチャック部３８はヘッド昇降機構５０により昇降させることができ、チャック部３８の位置移動と、制御テーブル２２側の加熱部であるヒータ２８、ヘッド部４０側の加熱部７２のヒータ７８の加熱温度とは、昇降速度と加熱速度とを同期させて制御することが可能であり、これらを別個に制御することも可能である。
また、制御テーブル２２に載置されたパッケージ３４とチャック部３８の接触位置を接触検知部５４の荷重センサ５８、６０で検知し、その検知位置を原点に予熱温度ＨＴｋから最大加熱温度ＨＴｍまで上昇させた際、接合部より上部側の熱膨張、接合部より下部側の熱膨張として例えば、パッケージ３４の熱変形、ヘッド部４０のチャック部３８等の熱変形により、ヘッド部４０の移動量、即ち、熱膨張による総量分をツール高さ検出器８６で検出でき、これをヘッド補正移動量情報としてメモリ８４に格納する。このヘッド補正移動量は、予熱温度、最大加熱温度等、加熱温度によって変化するとともに、基板３６の大きさや材質、ベアチップ３２によっても変化するものであり、個別に設定される情報である。
また、このボンディング装置２０では、制御テーブル２２のパッケージ搭載治具３０に搭載された基板３６に対し、ベアチップ３２の実装高さが予め測定されるが、その高さ位置はツール高さ検出器８６で検出され、この実装高さ情報としてメモリ８４に格納されている。
そこで、このボンディング装置２０では、チャック部３８を下降させ、チャック部３８とパッケージ３４との接触位置、チャック部３８に保持したベアチップ３２と基板３６との接触位置を原点に、加熱温度の上昇速度とチャック部３８の移動速度を合致させてチャック部３８を移動させ、例えば、最大加熱温度ＨＴｍの位置を移動限界点である上死点としてチャック部３８の移動を停止し、その位置で所定時間だけ保持した後、チャック部３８又はチャック部３８に保持されたベアチップ３２を基板３６に対する実装高さに下降させることが可能である。このような制御は、ベアチップ３２の実装処理及び再実装処理、パッケージ３４からベアチップ３２を取り外すリムーブ処理で実行され、リプレース処理においても同様である。
このようにボンディング装置２０によれば、基板３６に対するベアチップ３２のリフロー処理（実装）、基板３６に実装されたベアチップ３２のリムーブ処理（取外し）、基板３６からベアチップ３２を取り外した後、その位置にベアチップ３２のリワーク処理（再実装）等が可能である。
（第２の実施形態）
次に、本発明の第２の実施形態である電子部品の実装方法としてリフロー処理について、図６ないし図９を参照して説明する。図６はリフロー処理の動作シーケンスを示す工程図、図７ないし図９はヘッド部４０の動作工程を示す図である。
このリフロー処理では、前処理、準備動作、高さ制御・基準位置検知動作、接合部加熱と高さ制御動作及び終了動作から構成される。前処理では、ベアチップ３２にフラックスを塗布し（工程Ｐ１）、パッケージ３４の全体を予熱する（工程Ｐ２）。この場合、ベアチップ３２の半田バンプ接続部の全体にフラックスを塗布し、また、パッケージ３４は制御テーブル２２の加熱によって予熱する。この予熱は温度差による熱歪みを低減するため、予熱温度ＨＴｋは一定温度例えば、１５０℃程度に設定する。
準備動作では、ヘッド部４０の予備加熱（工程Ｐ３）、チャック部３８のベアチップ３２の吸着（工程Ｐ４）を行う。予備加熱では、ヘッド部４０の加熱部７２を加熱し、この加熱部７２によりチャック部３８を加熱することにより、チャック部３８とパッケージ３４との接触による熱変異を無くし、安定した高さ検知を行うため、チャック部３８の加熱温度はパッケージ３４の予熱温度ＨＴｋと同温度に設定される。そして、吸引機構１１０の真空吸着により、例えば、図７（Ａ）に示すように、チャック部３８にベアチップ３２を吸着させる。なお、この場合、パッケージ３４の基板３６の背面側には電子部品１１８等が実装されているが、パッケージ搭載治具３０にはこのような電子部品１１８等の突出部を吸収する凹部１２０が形成されているので、基板３６が水平に維持されている。
高さ制御・基準位置検知動作では、ヘッド部４０の下降（工程Ｐ５）、ベアチップ３２との接触検知（工程Ｐ６）、その接触検知位置でのベアチップ３２の保持（工程Ｐ７）、ベアチップ３２の吸着解除（工程Ｐ８）を行う。図７（Ａ）に示すように、ベアチップ３２を吸着したチャック部３８を矢印ａで示すように基板３６の方向に高速で下降させ、所定の高さ位置まで下降させ、停止させた後、この位置から荷重検知が行われるまで低速で下降し、ヘッド高さ制御の基準位置検知を行う（工程Ｐ６）。図７（Ｂ）に示すように、低速で下降するベアチップ３２の半田バンプ１１４が基板３６の接合部１１６に接触すると、ヘッド部４０側の荷重が基板３６に作用する結果、荷重センサ５８、６０の検出荷重が変化する。この場合、荷重センサ５８の検出荷重が増加し、荷重センサ６０の検出荷重が低下する。この結果、ベアチップ３２の接触位置が検知され、この接触位置が基準位置となる。この場合、この接触検知と同荷重で一定時間例えば、１０秒程度保持すると、ベアチップ３２と基板３６との接触状態が維持されて熱移動が生じ、パッケージ３４側の温度とヘッド部４０のチャック部３８側の温度が同一温度となり、基準位置の安定化が図られる。このような荷重保持の後、ベアチップ３２の吸着を解除する。このタイミングで吸着解除すれば、ベアチップ３２の半田バンプ１１４と接合部１１６とのセルフアライメント効果が助長され、半田バンプ１１４の押し潰しが防止される。
接合部加熱と高さ制御動作では、ヘッド部４０の加熱（工程Ｐ９）、ヘッド部４０の上昇（工程Ｐ１０）、チャック部３８の上死点での保持（工程Ｐ１１）、チャック部３８の下降（工程Ｐ１２）、チャック部３８の下死点での保持（工程Ｐ１３）を行う。ベアチップ３２の吸着を解除した後、ヘッド部４０をヒータ７８により加熱し、チャック部３８を半田接合温度まで上昇させる（工程Ｐ９）。この加熱制御は、パッケージ３４やヘッド部４０等の熱膨張と時間制御が行えるよう、安定した昇温を行う。この場合、ヘッド部４０の昇温速度と同期してヘッド部４０を図８（Ａ）の矢印ｂで示すように上昇させ、この場合、図８（Ｂ）に示すように、加熱部分の熱膨張量と同量の高さ位置まで上昇させる。このような制御によれば、ベアチップ３２の半田バンプ１１４とパッケージ３４の接合部１１６とが接触した状態に保持される結果、加熱ロスを抑制することができる。
そして、ヘッド部４０を上死点で保持する。即ち、ヘッド部４０の温度上昇の最大位置（即ち、上死点）で保持し、その保持時間は温度制御ばらつきを吸収できる時間とし、これにより、半田を確実に溶融させることができる。この保持の後、各部の熱膨張量を補正量として上昇させたヘッド部４０を図９（Ａ）の矢印ｃに示すように下降させる（工程Ｐ１２）。この場合、半田バンプ１１４の高さ等の各種のＺ方向のばらつきを吸収できる補正量を算出し、その補正量分だけヘッド部４０を下降させた後、チャック部３８の下死点での保持、即ち、補正下降させた位置で所定時間だけ保持させ、半田接合を行う。チャック部３８の下死点で所定時間だけ保持することにより、確実な半田接合が行われる。
終了動作では、接合部１１６の冷却（工程Ｐ１４）を行う。半田接合を完了した後、図９（Ｂ）の矢印ｄに示すように、ヘッド部４０を上昇させ、接合部１１６の半田を空冷する。この空冷は、接合部１１６の半田が半田凝固温度に低下するまで持続させ、リフロー処理を完了する。リフロー処理を完了したパッケージ３４をパッケージ搭載治具３０とともに搬送する。
次に、このリフロー処理において、ヘッド部４０の昇降及び温度制御について、図１０を参照して説明する。図１０において、横軸は時間ｔの経過、縦軸は温度及びヘッド部４０の変移を表し、Ｌ１はヘッド部４０（チャック部３８）の昇降動作、Ｌ２はヘッド部４０の温度制御、Ｌ３は接合部１１６の上部側の加熱による膨張量、Ｌ４は接合部１１６の下部側の加熱による膨張量を示している。
既述の前処理及び準備動作が完了した時点ｔ０からヘッド部４０を下降させ、チャック部３８に吸着されているベアチップ３２が基板３６の接合部１１６に接触したとき（時点ｔ１）、これが基準位置となる。時間Ｔ１は、ヘッド部４０が基準位置ｍｓに到達するまでの下降時間である。時点ｔ１から時点ｔ２では、ヘッド部４０が基準位置ｍｓに保持され、パッケージ３４の予熱温度ＨＴｋとベアチップ３２の温度が同一温度に維持される。時間Ｔ２は同一荷重での保持時間であり、この時間Ｔ２中にベアチップ３２の保持が解除される。この場合、時間Ｔ３は、ヘッド部４０を予熱温度ＨＴｋ（例えば、１５０℃）で保持する保持期間である。
基準位置での所定時間（Ｔ２）の経過の後、時点ｔ２からヘッド部４０の加熱を開始するとともに、この昇温速度に同期してヘッド部４０を補正移動の限界点である上死点（時点ｔ３）ｍｒ（ｍｓを基準に例えば、５０μｍの高さ位置）まで上昇させる。ヘッド部４０の加熱により、接合部１１６の上部側及び下部側はその加熱によって膨張し、その膨張量は加熱温度に依存する。この場合、時点ｔ２から時点ｔ３までの時間Ｔ４は、昇温時間及びヘッド部４０の上昇時間であり、時間Ｔ４の長さは、熱膨張を考慮に入れ、ベアチップ３２の半田バンプ１１４と基板３６の接合部１１６との接触が保持されるように設定するとともに、ヘッド部４０の移動速度を決定する。この場合、ヘッド部４０の補正移動量Δｍは熱膨張の総量分だけヘッド部４０を上昇させる移動量であり、補正移動量Δｍだけ移動させた時点ｔ３、即ち、ヘッド部４０が上死点ｍｒに到達した時点ｔ３でヘッド部４０を最大加熱温度ＨＴｍに到達させている。
この時点ｔ３から時点ｔ４までの一定時間Ｔ５を待機期間とし、ヘッド部４０を上死点で保持させる。この半田の温度は時点ｔ３に到達前に溶融点に到達し、時間Ｔ５で半田が確実に溶融する。この待機時間Ｔ５の経過の後、時点ｔ４から時点ｔ５の時間Ｔ６において、ヘッド部４０を上死点ｍｒから下死点ｍｆ（ｍｓを基準に例えば、−１０μｍの高さ位置）まで補正移動量Δｎだけ下降させる。この補正移動量Δｎは、接触に必要かつ十分な実装高さまでベアチップ３２を下降させる移動量である。この場合、実装高さは、任意の高さに制御できる。ヘッド部４０の最大加熱温度ＨＴｍは、時点ｔ３から時点ｔ６までの時間Ｔ７だけ維持する。また、時点ｔ５で下死点に到達させたヘッド部４０は時点ｔ５から時点ｔ７までの時間Ｔ８だけ保持し、時点ｔ７からヘッド部４０を上昇させて次の処理に備える。また、時点ｔ６からヘッド部４０の加熱温度を低下させ、時点ｔ６から時点ｔ８までの時間Ｔ９で予熱温度ＨＴｋに降下させる。このような加熱温度の低下に伴い、接合部１１６の上部側及び下部側の熱膨張量は予熱温度ＨＴｋの時点まで低下する。
次に、このリフロー処理において、ヘッド部４０の温度制御と昇降制御について、図１１を参照して説明する。図１１（Ａ）は、ヘッド部４０の下降時におけるベアチップ３２と基板３６の接合部１１６との接触状態、図１１（Ｂ）は、ヘッド部４０の補正上昇移動時におけるベアチップ３２と基板３６の接合部１１６との接触状態を示している。
図１１（Ａ）に示すように、ヘッド部４０を下降させ、チャック部３８に吸着して支持させたベアチップ３２の半田バンプ１１４を基板３６の接合部１１６に位置合わせして接触させると、基板３６の予熱温度とチャック部３８側の加熱温度とを一致させることができ、この時点でベアチップ３２の吸着を解除する。
この予熱状態から加熱し、その加熱温度を最大加熱温度ＨＴｍまで到達させると、接合部１１６の上部側及び下部側の熱膨張量はその温度上昇に応じて増加することになる。そこで、その熱膨張を考慮に入れてベアチップ３２とボンディングツールであるチャック部３８との接触を保持するように昇温時間を合わせる。接触時の予熱温度ＨＴｋから半田接合温度までの加熱温度による熱膨張に応じた変移量を昇温時間（Ｔ４）に合わせ、その変移量を補正移動量Δｍとしてヘッド部４０を上昇させる。この動作により、ベアチップ３２とチャック部３８とは常に接触状態に保持されて熱伝導が行われるので、熱伝導ロスの防止が図られ、接合部１１６側への効率的かつ安定した熱供給とベアチップ３２の位置制御が行われる。
そして、上死点で最大加熱温度ＨＴｍに昇温させたヘッド部４０とともにベアチップ３２を再度下降させ、その移動量を既述の補正移動量Δｎとすることにより、ベアチップ３２は必要かつ十分な実装高さの位置に制御されるとともに、半田バンプ１１４と接合部１１６との半田の半田接続が行われる。
次に、このリフロー処理によって、図１２を参照して説明する。図１２は、予備半田処理、位置決めコンタクト及び接合を示している。
図１２（Ａ）は初期実装前の状態を示しており、基板３６に形成された接続用導体１１９、１２１の露出面には予備半田１２２が形成され、その表面がフラットニング処理によって平坦化されている。この状態で予熱温度ＨＴｋに加熱した後、図１２（Ｂ）に示すように、ベアチップ３２に球状の半田バンプ１１４が形成され、このベアチップ３２の半田バンプ１１４を予熱温度ＨＴｋに加熱し、ベアチップ３２を位置決めして半田バンプ１１４を予備半田１２２に接触させ、同一の予熱温度ＨＴｋに保持する。この予熱温度ＨＴｋの保持の後、既述のように、ベアチップ３２を最大加熱温度ＨＴｍまで加熱すると、半田バンプ１１４及び予備半田１２２が溶融し、ベアチップ３２の高さ位置を基板３６の熱変形やヘッド部４０側の熱変形に応じた補正移動量Δｍだけ上昇させた後、最適な実装位置までベアチップ３２を下降させると、図１２（Ｃ）に示すように、基板３６上の予備半田１２２と半田バンプ１１４とが一体化するとともに、ベアチップ３２が基板３６の最適な高さ位置に実装される。
（第３の実施形態）
次に、本発明の第３の実施形態である電子部品の取外し方法について、図１３ないし図１６を参照して説明する。図１３はリムーブ処理の動作シーケンスを示す工程図、図１４ないし図１６はヘッド部４０の動作を示す図である。
このリムーブ処理は、前処理、準備動作、高さ制御・基準位置検知動作、接合部加熱と高さ制御動作、ベアチップリムーブ動作及び終了動作から構成される。前処理では、フラックスの充填（工程Ｐ２１）、パッケージ３４の全体の予熱（工程Ｐ２２）を行う。ベアチップ３２の半田バンプ１１４の接続部全体にフラックスを毛細管現象を利用して充填し（工程Ｐ２１）、このとき、パッケージ３４を予熱すれば、フラックスの充填が容易になる。また、パッケージ３４は制御テーブル２２の加熱によって予熱し、この予熱は温度差による熱歪みを低減するため、予熱温度はリフロー処理と同様に一定温度例えば、１５０℃程度に設定する。
準備動作では、ヘッド部４０の予備加熱（工程Ｐ２３）を行う。予備加熱では、ヘッド部４０の加熱部７２を加熱し、この加熱部７２によりチャック部３８を加熱することにより、チャック部３８とパッケージ３４との接触による熱変異を無くし、安定した高さ検知を行うため、チャック部３８の加熱温度はパッケージ３４の予熱温度と同温度に設定される。
高さ制御・基準位置検知動作では、ヘッド部４０の下降（工程Ｐ２４）、ベアチップ３２との接触検知（工程Ｐ２５）、その接触検知位置での保持（工程Ｐ２６）を行う。図１４（Ａ）に示すように、ヘッド部４０のチャック部３８を矢印ｅで示すようにベアチップ３２の高さの基準位置に向かって高速で下降させ、一端停止させた後、この位置から荷重検知が行われるまで低速で下降し、ベアチップ３２との接触検知を行う（工程Ｐ２５）。図１４（Ｂ）に示すように、低速で下降するチャック部３８が基板３６上のベアチップ３２に接触すると、ヘッド部４０側の荷重が基板３６側に作用する結果、荷重センサ５８、６０の検出荷重が変化する。この場合、荷重センサ５８の検出荷重が増加し、荷重センサ６０の検出荷重が低下する。この結果、ベアチップ３２の接触位置が検知され、この接触位置が基準位置となる。この場合、この接触検知と同荷重で一定時間例えば、１０秒程度保持すると、ベアチップ３２とチャック部３８との接触状態が維持されて熱移動が生じ、パッケージ３４側の温度とヘッド部４０のチャック部３８側の温度が同一温度となり、基準位置の安定化が図られる。
接合部加熱と高さ制御動作では、ヘッド部４０の加熱（工程Ｐ２７）、ヘッド部４０の上昇（工程Ｐ２８）、チャック部３８の上死点での保持（工程Ｐ２９）、チャック部３８の下降（工程Ｐ３０）、チャック部３８の下死点での保持（工程Ｐ３１）を行う。ベアチップ３２にチャック部３８を接触させた後、ヘッド部４０をヒータ７８により加熱し、チャック部３８を半田接合（溶融）温度まで上昇させる（工程Ｐ２７）。この加熱制御は、パッケージ３４やヘッド部４０等の熱膨張と時間制御が行えるよう、安定した昇温を行う。この場合、ヘッド部４０の昇温速度と同期してヘッド部４０を図１５（Ａ）の矢印ｆで示すように上昇させ、この場合、図１５（Ｂ）に示すように、加熱部分の熱膨張量と同量の高さ位置まで上昇させる。このような制御によれば、ベアチップ３２の半田バンプ１１４とパッケージ３４の接合部１１６が接触状態に保持される結果、加熱ロスを抑制することができる。
そして、ヘッド部４０を上死点で保持する。即ち、ヘッド部４０の温度上昇の最大位置（即ち、上死点）で保持し、その保持時間は温度制御ばらつきを吸収できる時間とし、これにより半田を確実に溶融させることができる。この保持の後、各部の熱膨張量を補正量として上昇させたヘッド部４０を図１６（Ａ）の矢印ｇに示すように下降させる（工程Ｐ３０）。この場合、半田バンプ１１４の高さ等の各種のＺ方向のばらつきを吸収できる補正量を算出し、その補正量分だけヘッド部４０を下降させた後、チャック部３８の下死点での保持、即ち、補正下降させた位置で所定時間だけ保持させ、半田を溶融させる（工程Ｐ３１）。ヘッド部４０の下死点で所定時間だけ保持することにより、確実に半田が溶融する。
ベアチップ３２のリムーブ処理動作では、ヘッド部４０の上昇（工程Ｐ３２）を行う。即ち、ヘッド部４０を補正量だけ下降した位置から半田溶融状態でチャック部３８に吸引機構１１０により吸着力を付与し、ベアチップ３２を吸着させた後、図１６（Ｂ）に示すように、矢印ｈで示す方向にヘッド部４０を上昇させれば、パッケージ３４からベアチップ３２が取り外される。
そして、終了動作では、接合部１１６の冷却（工程Ｐ３３）を行う。ベアチップ３２が取り外された基板３６の接合部１１６を空冷する。この空冷は、接合部１１６の半田が半田凝固温度に低下するまで持続させ、リムーブ処理を完了する。リムーブ処理を完了したパッケージ３４はパッケージ搭載治具３０とともに搬送する。
このリムーブ処理において、ヘッド部４０の昇降及び温度制御は、既述した図１０及び図１１に示すリフロー処理と同様であり、リムーブ処理ではヘッド部４０はチャック部３８にベアチップ３２を空状態で下降し、ベアチップ３２の吸着処理が半田が溶融状態となる時間Ｔ８で行われる。また、図１１（Ｂ）では、上死点で最大加熱温度ＨＴｍに昇温させたヘッド部４０とともにベアチップ３２を再度下降させ、その移動量を既述の補正移動量Δｎとすることにより、ベアチップ３２は必要かつ十分な実装高さの位置で、半田が溶融状態に維持される。その他のヘッド部４０の昇降及び温度制御はリフロー処理と同様である。
次に、このリムーブ処理によって、図１７を参照して説明する。図１７は、実装状態、ベアチップのリムーブ処理及びリムーブ処理後の残留半田を示している。
図１７（Ａ）は実装状態を示しており、基板３６に形成された接続用導体１１９、１２１にはベアチップ３２が実装されている。この状態で予熱温度ＨＴｋから半田溶融温度の最大加熱温度ＨＴｍまで加熱すると、半田を溶融させることができる。この溶融状態において、ベアチップ３２の高さ位置を基板３６の熱変形やヘッド部４０側の熱変形に応じた補正移動量Δｍだけ上昇させた後、最適な実装位置までベアチップ３２を下降させた後、図１７（Ｂ）に示すように、ヘッド部４０を上昇させてベアチップ３２をリムーブさせると、図１７（Ｃ）に示すように、基板３６上の残留半田１２４が形成され、この残留半田１２４は、上面部を半球形とし、その高さ（Ｈｏ）が一定の高さ例えば、４０μ程度に形成される。
（第４の実施形態）
次に、本発明の第４の実施形態である電子部品の実装方法について、図１８（Ａ）〜１８（Ｃ）を参照して説明する。図１８（Ａ）はリムーブ処理後の基板、図１８（Ｂ）はベアチップのリワーク処理、図１８（Ｃ）はベアチップの再実装状態を示している。
パッケージ３４の基板３６には、ベアチップ３２を接続すべき位置に残留半田１２４によって接合部１１６が形成されており、残留半田１２４は、既述したリムーブ処理によって形成されたものである。この基板３６に対するベアチップ３２のリワーク処理は、既述したリフロー処理（図６〜図１２）と同様に行われる。ベアチップ３２にフラックスの塗布の後、ベアチップ３２を予熱温度ＨＴｋで予熱するとともに基板３６もその温度に予熱した後、図１８（Ｂ）に示すように、基板３６の残留半田１２４にベアチップ３２を位置決めして半田バンプ１１４と残留半田１２４とを同一の予熱温度ＨＴｋに保持する。この予熱温度ＨＴｋに一定時間だけ保持した後、既述のように、ベアチップ３２を最大加熱温度ＨＴｍまで加熱して昇温させると、半田バンプ１１４及び残留半田１２４が溶融し、ベアチップ３２の高さ位置を基板３６の熱変形やヘッド部４０側の熱変形に応じた補正移動量Δｍだけ上昇させた後、最適な実装位置までベアチップ３２を下降させ、図１８（Ｃ）に示すように、基板３６上の残留半田１２４と半田バンプ１１４とを一体化させ、ベアチップ３２が基板３６の最適な高さ位置に再実装される。
そこで、図１７（Ａ）、（Ｂ）及び（Ｃ）からなるリムーブ処理に、図１８（Ａ）、（Ｂ）及び（Ｃ）のリフロー処理を連続して行えば、ベアチップ３２の実装、その取外し、ベアチップ３２の置換又は再実装等の処理を行うことができる。例えば、図１９（Ａ）に示すように、基板３６に実装されているベアチップ３２にヘッド部４０のチャック部３８を接触させて予熱温度ＨＴｋに保持した後、最大加熱温度ＨＴｍに加熱し、図１９（Ｂ）に示すように、基板３６からベアチップ３２を取り外し、その基板３６に同様の処理により、図１９（Ｃ）に示すようにベアチップ３２を再実装でき、ベアチップ３２のリワーク処理を行うことができる。
次に、以上述べた本発明の電子部品の実装方法、取外し方法及びその装置の実施形態から技術的な事項を抽出し、その技術的な意義、変形例、その他、技術的な拡張事項等を以下に列挙する。
（１）実施形態で示したように、実装又は取外し処理において、基板３６の予熱温度とベアチップ３２又はチャック部３８を同一温度にした後、チャック部３８又はチャック部３８に支持されたベアチップ３２の位置制御を高精度に行い、予熱温度ＨＴｋから最大加熱温度ＨＴｍに移行させた際に、各部材の熱歪みを測定し、接合したい温度条件での補正移動量（Δｍ）が決定される。そして、基板３６の予熱温度とベアチップ３２又はヘッド部４０のチャック部３８の温度を同一温度にした状態で位置合わせを行い、ベアチップ３２が基板３６に接触した状態を所定時間例えば、１０秒程度保持することにより、ヘッド部４０の位置を安定化させ、このとき、ヘッド部４０の位置をヘッド位置の原点とする。そして、予熱温度ＨＴｋから半田接合温度、即ち、最大加熱温度ＨＴｍまでの昇温時間Ｔ４に合わせ、原点から上死点として補正量限界点の位置までヘッド部４０即ち、チャック部３８を上昇させる。そして、加熱温度が安定するまで待機、ヘッド部４０の移動が終了した後、半田溶融状態が得られ、ヘッド部４０即ち、ベアチップ３２を理論上の接合理想高さまで下降させる。
このように、一連の動作シーケンスは、ベアチップ３２のリムーブ処理及びリプレース処理の何れも共通であって、リムーブ時にはベアチップ３２の接合部にフラックスを注入することにより接合半田材が球状に仕上がり、洗浄後、前処理不要でリプレース処理を行える。従って、ヘッド加熱時の位置制御が可能になれば、設備、基板等、部材の熱膨張を測定し、位置制御のパラメータに設定することにより、基板３６及びベアチップ３２を低ストレスで高信頼度のＣ４接続又は取外しが行え、ベアチップ３２等の各種電子部品のリワーク処理が行える。
（２）図１０において、チャック部３８又はベアチップ３２を上死点で保持する待機時間Ｔ５は、ヘッド移動速度や加速度のばらつきを考慮に入れ、時点ｔ３より前の半田溶融開始点としてもよい。
（３）実施形態において、リムーブ処理とリフロー処理又はリプレース処理の各待機時間Ｔ５を同一として説明したが、リムーブ処理の場合、上死点での保持時間がベアチップ３２の取外しのためにリフロー処理又はリプレース処理の場合の３分の１程度に設定してもよい。
（４）実施形態において、実装すべき電子部品、取り外すべき電子部品としてベアチップを例に取って説明したが、本発明の電子部品には、マイクロ（Ｃ４）バンプ等、半田バンプを用いて半田付けする半導体装置、半導体装置を搭載した部品、フリップチップ部品等の各種の部品を包含するものであり、本発明は、実施形態で例示したベアチップや半導体装置に限定されるものではない。
（実験結果）
最大加熱温度ＨＴｍに上昇させるとともにヘッド部４０を上昇させた後、ヘッド部４０を再度下降させて接合を行えば、ベアチップ３２のパッド径が１００μｍのバンプ、基板３６側のパッド径が９０μｍであるとき、６０μｍの下降により、バンプピッチが２１６μｍ以上あれば良好な接合ができることが確認された。
また、同様の処理でベアチップ３２の取外しを行ったとき、３０〜５０％の比率で基板３６に残留半田１２４として半田が残り、これをベアチップ３２のリプレース、パッケージ３４のリワーク処理に利用することができる。
以上述べたように、本発明の最も好ましい実施形態等について説明したが、本発明は、上記記載に限定されるものではなく、請求の範囲に記載され、又は発明を実施するための最良の形態に開示された発明の要旨に基づき、当業者において様々な変形や変更が可能であることは勿論であり、係る変形や変更が、本発明の範囲に含まれることは言うまでもない。
【産業上の利用可能性】  本発明の電子部品の実装方法は、基板にストレスを発生させることなく、加熱制御と電子部品の位置制御とを併用することにより、半導体装置等の部品の実装又は再実装を行うことができ、パッケージの部品の交換や、同一パッケージ上に低耐熱部品が実装されたパッケージについて前処理を省くことができ、低ストレス化及び低コスト化とともに、信頼性を向上させることができる。
本発明の電子部品の取外し方法は、加熱制御と電子部品の位置制御とを併用することにより、基板にストレスを発生させることなく、基板上に再利用可能な残留半田を形成することができ、有用である。
本発明の電子部品の実装装置は、基板にストレスを発生させることなく、単一の加熱により半導体装置等の電子部品の実装又は再実装を行うことができ、有用である。
本発明の電子部品の取外し装置は、基板にストレスを発生させることなく、単一の加熱により半導体装置等の電子部品の取外しを行うことができるとともに、再利用可能な状態の残留半田を形成し、前処理等の簡略化に寄与し、迅速かつ容易に再実装を行うことができ、有用である。
2004107432.tif 000003
2004107432.tif 000004
【図３】
2004107432.tif 000005
【図４】
2004107432.tif 000006
【図５】
2004107432.tif 000007
【図６】
2004107432.tif 000008
2004107432.tif 000009
2004107432.tif 000010
2004107432.tif 000011
【図１０】
2004107432.tif 000012
2004107432.tif 000013
2004107432.tif 000014
【図１３】
2004107432.tif 000015
2004107432.tif 000016
2004107432.tif 000017
2004107432.tif 000018
2004107432.tif 000019
2004107432.tif 000020
2004107432.tif 000021
【国際調査報告】
2004107432.tif 000022
2004107432.tif 000023